(57)【要約】【課題】印鑑の印影情報の取り直しを効率良く行うことを課題とする。【解決手段】操作者により印鑑２０が押印操作され、押印受付部１１により印面を撮像して印影画像を含んだ印影画像が取得された後に、操作者が印影の欠け等に起因して再度印鑑２０の押印操作をしたならば、押印受付部１１により印面を撮像して印影画像を含んだ印影情報を再取得し、印影画像を含む印影情報等を上位装置に送信する。【選択図】図１
2019091229.tif 000002
【特許請求の範囲】
【請求項１】
印鑑に刻まれた印面の印影画像を含んだ印影情報を取得する印影情報取得装置において、
印鑑の押印を受け付ける押印受付部と、
前記押印受付部に対し押印された印鑑の印影情報を取得する取得部と、
前記取得部により取得された印影情報を記憶する記憶部と、
前記取得部により取得された第１の印影情報を前記記憶部に記憶した後に、前記取得部により取得された第２の印影情報を、前記記憶部に記憶するように制御する制御部と
を備えたことを特徴とする印影情報取得装置。
【請求項２】
前記制御部は、
前記第２の印影情報が所定の条件を満たす場合には、前記第２の印影情報を前記記憶部に記憶しないように制御することを特徴とする請求項１に記載の印影情報取得装置。
【請求項３】
前記記憶部に記憶された複数の印影情報のうちの少なくとも１つの印影情報に含まれる印影画像を所定の表示部に表示制御する表示制御部をさらに備えたことを特徴とする請求項１又は２に記載の印影情報取得装置。
【請求項４】
前記記憶部に記憶された複数の印影情報に含まれる印影画像と、あらかじめ登録された登録印影画像との類似度を算定する類似度算定部をさらに備え、
前記表示制御部は、
前記類似度算定部により算定された類似度に基づく情報を前記表示部に表示制御する
ことを特徴とする請求項３に記載の印影情報取得装置。
【請求項５】
前記表示制御部は、
前記記憶部に記憶された複数の印影画像のうち、前記類似度算定部により算定された類似度が最も高い印影画像を前記表示部に表示制御することを特徴とする請求項４に記載の印影情報取得装置。
【請求項６】
前記表示制御部は、
前記記憶部に記憶された複数の印影画像のうち、最も欠け又はかすれの少ない印影画像を前記表示部に表示制御することを特徴とする請求項３乃至５のいずれか一項に記載の印影情報取得装置。
【請求項７】
前記記憶部に記憶された複数の印影情報の中から操作者による印影情報の選択操作を受け付ける選択操作受付部と、
前記選択操作受付部により選択操作を受け付けた印影情報を所定の外部装置に送信する送信部と
をさらに備えたことを特徴とする請求項１乃至６のいずれか一項に記載の印影情報取得装置。
【請求項８】
印鑑に刻まれた印面の印影画像を含んだ印影情報を取得する印影情報取得装置において、
印鑑の押印を受け付ける押印受付部と、
前記押印受付部に対し押印された印鑑の印影情報を取得する取得部と、
前記取得部により取得された印影情報を記憶する記憶部と、
前記取得部により取得された第１の印影情報が前記記憶部に記憶されている状態において、前記取得部により新たに取得された前記第１の印影情報と異なる第２の印影情報が所定の条件を満たす場合に、前記記憶部に記憶された前記第１の印影情報に代えて前記第２の印影情報を、前記記憶部に記憶するよう制御する制御部と
を備えたことを特徴とする印影情報取得装置。
【請求項９】
印鑑に刻まれた印面の印影画像を含んだ印影情報を取得する印影情報取得システムであって、
印鑑の押印を受け付ける押印受付部と、
前記押印受付部に対し押印された印鑑の印影情報を取得する取得部と、
前記取得部により取得された印影情報を記憶する記憶部と、
前記取得部により取得された第１の印影情報を前記記憶部に記憶した後に、前記取得部により取得された第２の印影情報を、前記記憶部に記憶するように制御する制御部と
を備えたことを特徴とする印影情報取得システム。
【請求項１０】
印鑑に刻まれた印面の印影画像を含んだ印影情報を取得する印影情報取得方法であって、
印鑑の押印を受け付ける押印受付工程と、
前記押印受付工程において押印された印鑑の印影情報を取得する取得工程と、
前記取得工程により取得された第１の印影情報を所定の記憶部に記憶した後に、前記取得工程により取得された第２の印影情報を、前記記憶部に記憶するように制御する制御工程と
を含んだことを特徴とする印影情報取得方法。
【請求項１１】
印鑑に刻まれた印面の印影画像を含んだ印影情報を取得する印影情報取得プログラムであって、
印鑑の押印を受け付ける押印受付手順と、
前記押印受付手順において押印された印鑑の印影情報を取得する取得手順と、
前記取得手順により取得された第１の印影情報を所定の記憶部に記憶した後に、前記取得手順により取得された第２の印影情報を前記記憶部に記憶するように制御する制御手順と
をコンピュータに実行させることを特徴とする印影情報取得プログラム。
【発明の詳細な説明】
【技術分野】
【０００１】
本発明は、印鑑の印面に刻まれた印影の画像（以下、「印影画像」と言う）を含む印影情報の取り直しを効率良く行うことができる印影情報取得装置、印影情報取得システム、印影情報取得方法及び印影情報取得プログラムに関する。
【背景技術】
【０００２】
従来、金融機関では、入金伝票や出金伝票などの各種の伝票を用いた金融取引が行われてきたが、近年のＩＴ（Information Technology）技術の進展に伴って、伝票などのペーパーレス化が望まれている。かかるペーパーレス化を実現する場合には、押印した印鑑の印影情報を電子的に取得することができる印影情報取得装置が必要となる（例えば、特許文献１を参照）。
【先行技術文献】
【特許文献】
【０００３】
【特許文献１】特開２００５−２２２１０９号公報
【発明の概要】
【発明が解決しようとする課題】
【０００４】
しかしながら、上記引用文献１に記載された印影情報取得装置では、電子的に取得された印影に欠け・掠れ等が存在するために、印影情報の取り直しを要する場合がある。また、印鑑の印影自体が登録印の印影と異なる場合にも、印影情報の取り直しを要する。
【０００５】
かかる場合に、印影情報取得装置にはキャンセルボタン等の取直操作部が設けられていないため、例えば上位装置における従業員操作によって印影情報の取り直しを行わねばならず、再度印影情報を取得するまでに時間を要し、効率的ではない。
【０００６】
本発明は、上記従来技術の課題を解決するためになされたものであって、印鑑の印影情報の取り直しを効率良く行うことができる印影情報取得装置、印影情報取得システム、印影情報取得方法及び印影情報取得プログラムを提供することを目的とする。
【課題を解決するための手段】
【０００７】
上記の課題を解決するため、本発明は、印鑑に刻まれた印面の印影情報を取得する印影情報取得装置において、印鑑の押印を受け付ける押印受付部と、前記押印受付部に対し押印された印鑑の印影情報を取得する取得部と、前記取得部により取得された印影情報を記憶する記憶部と、前記取得部により取得された第１の印影情報を前記記憶部に記憶した後に、前記取得部により取得された第２の印影情報を、前記記憶部に記憶するように制御する制御部とを備えたことを特徴とする。
【０００８】
また、本発明は、上記の発明において、前記制御部は、前記第２の印影情報が所定の条件を満たす場合には、前記第２の印影情報を前記記憶部に記憶しないように制御することを特徴とする。
【０００９】
また、本発明は、上記の発明において、前記記憶部に記憶された複数の印影情報のうちの少なくとも１つの印影情報に含まれる印影画像を所定の表示部に表示制御する表示制御部をさらに備えたことを特徴とする。
【００１０】
また、本発明は、上記の発明において、前記記憶部に記憶された複数の印影情報に含まれる印影画像と、あらかじめ登録された登録印影画像との類似度を算定する類似度算定部をさらに備え、前記表示制御部は、前記類似度算定部により算定された類似度に基づく情報を前記表示部に表示制御することを特徴とする。
【００１１】
また、本発明は、上記の発明において、前記表示制御部は、前記記憶部に記憶された複数の印影画像のうち、前記類似度算定部により算定された類似度が最も高い印影画像を前記表示部に表示制御することを特徴とする。
【００１２】
また、本発明は、上記の発明において、前記表示制御部は、前記記憶部に記憶された複数の印影画像のうち、最も欠け又はかすれの少ない印影画像を前記表示部に表示制御することを特徴とする。
【００１３】
また、本発明は、上記の発明において、前記記憶部に記憶された複数の印影情報の中から操作者による印影情報の選択操作を受け付ける選択操作受付部と、前記選択操作受付部により選択操作を受け付けた印影情報を所定の外部装置に送信する送信部とをさらに備えたことを特徴とする。
【００１４】
また、本発明は、印鑑に刻まれた印面の印影画像を含んだ印影情報を取得する印影情報取得装置において、印鑑の押印を受け付ける押印受付部と、前記押印受付部に対し押印された印鑑の印影情報を取得する取得部と、前記取得部により取得された印影情報を記憶する記憶部と、前記取得部により取得された第１の印影情報が前記記憶部に記憶されている状態において、前記取得部により新たに取得された前記第１の印影情報と異なる第２の印影情報が所定の条件を満たす場合に、前記記憶部に記憶された前記第１の印影情報に代えて前記第２の印影情報を、前記記憶部に記憶するよう制御する制御部とを備えたことを特徴とする。
【００１５】
また、本発明は、印鑑に刻まれた印面の印影画像を含んだ印影情報を取得する印影情報取得システムであって、印鑑の押印を受け付ける押印受付部と、前記押印受付部に対し押印された印鑑の印影情報を取得する取得部と、前記取得部により取得された印影情報を記憶する記憶部と、前記取得部により取得された第１の印影情報を前記記憶部に記憶した後に、前記取得部により取得された第２の印影情報を、前記記憶部に記憶するように制御する制御部とを備えたことを特徴とする。
【００１６】
また、本発明は、印鑑に刻まれた印面の印影画像を含んだ印影情報を取得する印影情報取得方法であって、印鑑の押印を受け付ける押印受付工程と、前記押印受付工程において押印された印鑑の印影情報を取得する取得工程と、前記取得工程により取得された第１の印影情報を所定の記憶部に記憶した後に、前記取得工程により取得された第２の印影情報を、前記記憶部に記憶するように制御する制御工程とを含んだことを特徴とする。
【００１７】
また、本発明は、印鑑に刻まれた印面の印影画像を含んだ印影情報を取得する印影情報取得プログラムであって、印鑑の押印を受け付ける押印受付手順と、前記押印受付手順において押印された印鑑の印影情報を取得する取得手順と、前記取得手順により取得された第１の印影情報を所定の記憶部に記憶した後に、前記取得手順により取得された第２の印影情報を前記記憶部に記憶するように制御する制御手順とをコンピュータに実行させることを特徴とする。
【発明の効果】
【００１８】
本発明によれば、印鑑の印影情報の取り直しを効率良く行うことが可能となる。
【図面の簡単な説明】
【００１９】
【図１】図１は、本実施例１に係る印影情報入力装置の概念を説明するための説明図である。
【図２】図２は、図１に示した印影情報入力装置の構成を示す機能ブロック図である。
【図３】図３は、印影画像を取得する具体例についての説明図である。
【図４】図４は、図２に示した印影情報入力装置１０の処理手順を示すフローチャートである。
【図５】図５は、本実施例２に係る印影情報入力装置の概念の説明図である。
【図６】図６は、本実施例２に係るシステム構成を示すシステム構成図である。
【図７】図７は、図５に示した印影情報入力装置の構成を示す構成図である。
【図８】図８は、印影画像、濃度分布、外形解析等の一例を示す図である。
【図９】図９は、図７に示した印影情報入力装置の処理手順を示すフローチャートである。
【図１０】図１０は、図９のステップＳ２１１に示した表示処理手順を示すフローチャートである。
【発明を実施するための形態】
【実施例１】
【００２０】
以下、添付図面を参照して、本発明に係る印影情報取得装置、印影情報取得システム、印影情報取得方法及び印影情報取得プログラムの好適な実施例を詳細に説明する。
【００２１】
＜本実施例１に係る印影情報入力装置１０の概念＞
まず、本実施例１に係る印影情報取得装置である印影情報入力装置１０の概念について説明する。図１は、本実施例１に係る印影情報入力装置１０の概念を説明するための説明図である。図１に示した印影情報入力装置１０は、銀行の窓口などに設置され、印鑑の印影画像を印影情報として電磁的に取得する場合に用いられる。さらに、印影情報入力装置１０は、顧客の署名を電磁的に入力するために用いることも可能である。
【００２２】
印影情報入力装置１０には、窓口端末装置や電子記帳台などの外部装置が接続されており、印影情報入力装置１０が取得した印影画像や署名画像は窓口端末装置や電子記帳台などに送信されて利用されることになる。すなわち、窓口端末装置や電子記帳台などは印影情報入力装置１０に対する上位装置として機能することになる。
【００２３】
具体的には、印影情報入力装置１０は、押印受付部１１、タッチパネルディスプレイ１２及び確認ボタン１３ａを有する。各部の詳細な説明は後述するが、押印受付部１１は、操作者による印鑑の押印を受け付け、カメラを用いて印鑑の印面を撮像するデバイスであり、タッチパネルディスプレイ１２は、署名の入力操作の受付、署名画像の表示、及び、印影画像の表示を行う入出力デバイスである。確認ボタン１３ａは、操作者が署名画像や印影画像が正しいと判断した場合に押下される確認用のボタンである。
【００２４】
顧客などの操作者が所定の開始操作を行ったり、上位装置から開始の指示を受けると、押印受付部１１のカメラが撮像を開始する。その後、操作者が印鑑２０の印面を押印受付部１１に押し当てる押印操作を行うと、押印受付部１１のカメラにより印鑑２０の印面が撮像され、撮像により得られた印影画像がタッチパネルディスプレイ１２にリアルタイムで表示される。
【００２５】
また、印影情報入力装置１０は、撮像により得られた印影画像を記憶しており、確認ボタン１３ａが押下操作されると、記憶した印影画像を上位装置に送信する。なお、送信後もそれまで記憶していた印影画像を消去せずに保持しておき、確認ボタン１３ａが再度押下されたときに再び送信する構成としてもよい。タッチパネルディスプレイ１２に対して署名の入力が行われた場合には、印影情報入力装置１０は、入力に応じて署名画像を生成してタッチパネルディスプレイ１２に表示し、確認ボタン１３ａの押下操作が行われた場合に上位装置への署名画像の送信を行うが、この署名に係る詳細については省略する。
【００２６】
ここで、操作者により印鑑２０の押印操作が行われ、押印受付部１１により印面を撮像した際に、押圧力が不足する位置があると、印影画像の該当する部分に欠け等が生じる。このため、操作者は、タッチパネルディスプレイ１２上に表示された印影画像を視認することにより、印影画像に欠け等が存在することをリアルタイムに確認することができる。
【００２７】
かかる場合に、従来の印影情報入力装置には、印影画像の再取得を行う機能（例えば、キャンセルボタン）が設けられていないため、印影情報入力装置に接続された上位装置から、印影情報入力装置が取得した印影画像を消去する指示をし、その後に再取得を行う必要があった。すなわち、従来は、取得した印影画像を消去するための操作を従業員が行っていた。このため、印影画像を再取得するまでに時間を要し、また従業員の操作を要することから、効率的ではなかった。
【００２８】
そこで、本実施例１に係る印影情報入力装置１０では、操作者による印鑑２０の押印操作を受け付け、押印受付部１１が印面を撮像して印影画像を取得した後に（ステップＳ１）、操作者が印影の欠け等を確認したならば、操作者が再度印鑑２０を押印操作し、押印受付部１１により印面を撮像して印影画像を再取得し（ステップＳ２）、確認ボタン１３ａにより確定された印影画像を含む印影画像を上位装置に送信する（ステップＳ３）。
【００２９】
このように、本実施例１に係る印影情報入力装置１０は、操作者が印鑑２０の印影画像に不満があり、印影の再撮影を行いたい場合に、上位装置からの指示を要することなく、再度印鑑２０を押印することにより、先に取得された印影画像の代わりに新たな印影画像を採用する機能を提供するものである。
【００３０】
具体的には、操作者により印鑑２０が押印操作され、押印受付部１１による撮像を行って印影画像が取得された後に（ステップＳ１）、操作者が印影の欠け等に起因して再度印鑑２０の押印操作をしたならば、押印受付部１１により印面を撮像して印影画像を再取得し（ステップＳ２）、印影画像を上位装置に送信する（ステップＳ３）。なお、印影画像の再取得を行うときに、上位装置に対して再取得を行う旨の通知を行ってもよい。これにより、従来の従業員による操作が不要となり、また印影情報入力装置１０にキャンセルボタン等を設ける必要もなく、効率的な処理が可能となる。
【００３１】
＜本実施例１に係る印影情報入力装置１０の構成＞
次に、図１に示した印影情報入力装置１０の構成について説明する。図２は、図１に示した印影情報入力装置１０の構成を示す機能ブロック図である。図２に示すように、印影情報入力装置１０は、押印受付部１１、タッチパネルディスプレイ１２、確認ボタン１３ａ、通信部１８、記憶部１４及び制御部１５を有する。実際には、図示しないＣＰＵが、不揮発性メモリ等からなる記憶部１４に記憶された制御部１５に対応するプログラムを、主メモリ（揮発性メモリ）上にロードして実行することにより、制御部１５に対応する制御を行うことになる。
【００３２】
押印受付部１１は、操作者による印鑑２０の押印を受け付け、押印された印鑑２０の印面を撮像する処理部である。押印受付部１１は、押印操作を受け付ける透明ゴム等からなる弾性フィルム部材と、弾性フィルム部材方向に光を照射するＬＥＤ等の光源と、弾性フィルム部材越しに印面を撮像するカメラとを有する。
【００３３】
押印受付部１１は、制御部１５から撮像開始指示を受けた場合にカメラによる撮像を開始する。この撮像開始指示は、制御部１５が操作者による所定の開始操作を受け付けたときに出力される。撮像を開始したカメラは、所定の時間間隔（例えば、０．１秒間隔）で撮像を繰り返し実行し、撮像結果を制御部１５に出力する。
【００３４】
また、押印受付部１１の弾性フィルム部材は、印鑑２０の押印操作を受け付けた場合に印面の形状に応じて弾性変形する。このため、押印を受け付けた状態でカメラにより撮像が行われると、印面の形状を示す撮像結果が制御部１５に出力されることになる。なお、押印受付部１１による撮像は、制御部１５から撮像終了指示を受けた場合に終了する。この撮像終了指示は、制御部１５が上位装置に印影画像を送信したときに出力される。
【００３５】
タッチパネルディスプレイ１２は、署名の入力操作の受付、署名画像の表示、印影画像の表示などに利用される。このタッチパネルディスプレイ１２としては、感圧式や静電容量式など、任意の方式を用いることができる。
【００３６】
確認ボタン１３ａは、操作者がタッチパネルディスプレイ１２に表示された署名及び／又は印影が正しいと操作者が判断した場合に、操作者により押下操作される確認用のボタンである。この確認ボタン１３ａが押下操作されると、印影画像や署名画像が図示しない上位装置に対して送信される。
【００３７】
通信部１８は、印影画像及び署名画像を外部装置に出力する際に用いられる通信インタフェースである。
【００３８】
記憶部１４は、ハードディスク装置や不揮発性メモリ、ＲＡＭ（Random Access Memory）等の記憶デバイスであり、印影画像１４ａ等を記憶する。印影画像１４ａは、後述するように制御部１５によって適宜更新され、上位装置への送信に用いられる。なお、本実施例１では、上位装置への送信後に印影画像を消去する構成を例示したため、印影画像１４ａを単独で記憶しているが、印影画像を消去せずに保持する場合には、記憶部１４は複数の印影画像を格納することができる。また、図示を省略したが、記憶部１４は署名画像を記憶することも可能である。
【００３９】
制御部１５は、印影情報入力装置１０を全体制御する制御部であり、印影に係る処理を行う印影処理部１６と、署名に係る処理を行う署名処理部１７とを有する。すでに説明したように、図示しないＣＰＵが、印影処理部１６及び署名処理部１７に対応するプログラムを主メモリにロードして実行することで、上記の制御部１５に対応する制御等が実行される。
【００４０】
印影処理部１６は、印影画像取得部１６ａ、印影画像表示制御部１６ｂ及び印影画像出力部１６ｃを有する。
【００４１】
印影画像取得部１６ａは、押印受付部１１による撮像結果から印影画像を取得する処理部である。具体的には、印影画像取得部１６ａは、押印受付部１１による撮像結果に対してノイズ除去、位置補正、反転などの画像処理を行うことで印影画像１４ａを生成し、記憶部１４に格納する処理を行う。
【００４２】
印影画像取得部１６ａによる処理を詳細に説明すると、まず、印影画像取得部１６ａは、操作者による所定の開始操作を受け付けて、押印受付部１１に撮像開始指示を出力し、押印受付部１１が所定間隔で出力する撮像結果を随時受け付ける。
【００４３】
印影画像取得部１６ａは、撮像結果における印影の画素数、すなわち、弾性フィルム部材の変形を示す画素の数が押印検知閾値以上となった場合に押印を検知したと判定する。そして、押印を検知したならば、撮像結果に対してノイズ除去、位置補正、反転などの画像処理を行うことで印影画像１４ａを生成し、記憶部１４に格納する。
【００４４】
印影画像１４ａを生成して記憶部１４に格納した後、印影画像取得部１６ａは、次に受け付けた撮像結果から印影の画素数を求め、印影画像１４ａの印影の画素数と比較する。比較の結果、撮像結果の印影の画素数が印影画像１４ａよりも大きければ、撮像結果の印影を印影画像１４ａと差替えて新たな印影画像１４ａとすることで、印影画像の更新を行う。一方、撮像結果の印影の画素数が印影画像１４ａ以下であれば、撮像結果の印影を破棄して元の印影画像１４ａを維持する。
【００４５】
印影画像取得部１６ａは、押印受付部１１から所定間隔で出力される撮像結果を用いて印影画像１４ａの更新を繰り返し、押印終了を検知した場合に、印影画像１４ａの確定を行う。例えば、撮像結果における印影の画素数が押印終了閾値以下となった場合に押印終了の検知とする。このとき、確定された印影画像１４ａは、押印検知から押印終了までの間で画素数が最大の印影画像である。押印終了閾値は、固定値であってもよいし、印影画像１４ａの印影の画素値に対する相対的な値であってもよい。
【００４６】
さらに、印影画像取得部１６ａは、押印終了後、再押印の検知を行う。具体的には、撮像結果における印影の画素数が再押印検知閾値以上となった場合に再押印の検知とする。
【００４７】
再押印検知閾値は、固定値であってもよいし、印影画像１４ａの印影の画素値に対する相対的な値であってもよい。但し、再押印検知閾値は、押印終了閾値よりも大きい値とする。押印終了閾値と再押印検知閾値が０よりも大きい値であれば、印鑑２０の印面を押印受付部１１の弾性フィルム部材から完全に離さずに押印をやり直すことが可能となる。なお、相対的な再押印検知閾値としては、印影画像１４ａの印影の画素値に対する所定の比率（例えば６０％）を用いればよい。
【００４８】
再押印を検知した印影画像取得部１６ａは、記憶部１４に格納していた印影画像１４ａを消去し、押印受付部１１の撮像結果から改めて印影画像１４ａを生成し、記憶部１４に格納する。
【００４９】
その後、印影画像取得部１６ａは、押印受付部１１から所定間隔で出力される撮像結果を用いて印影画像１４ａの更新を繰り返し、再び押印終了を検知した場合に、印影画像１４ａの確定を行う。かかる確定後にも印影画像取得部１６ａは、再押印の検知を行う。従って、後述する確認ボタン１３ａの操作を受け付けるまで、印影画像取得部１６ａは、印影画像１４ａの生成、更新、確定を繰り返すことができる。
【００５０】
印影画像表示制御部１６ｂは、タッチパネルディスプレイ１２に印影画像を表示する制御を行う。具体的には、印影画像表示制御部１６ｂは、押印検知又は再押印検知から押印終了までは、取得した印影画像をリアルタイムで表示する。そして、押印終了の後は、記憶部１４に格納した印影画像１４ａを読み出して表示する。
【００５１】
印影画像出力部１６ｃは、確認ボタン１３ａの操作を受け付けた場合に、記憶部１４に格納された印影画像１４ａを通信部１８により上位装置に出力させる処理を行う。また、印影画像１４ａを上位装置に出力させた後、印影画像出力部１６ｃは、押印受付部１１に対して撮像終了指示を出力し、印影画像１４ａを消去する。
【００５２】
署名処理部１７は、タッチパネルディスプレイ１２に対する署名の入力操作を検知し、署名画像を生成してタッチパネルディスプレイ１２に表示するとともに記憶部１４に格納し、確認ボタン１３ａの操作を受け付けた場合に、署名画像を上位装置に出力する処理を行う。
【００５３】
次に、印影画像を取得する具体例について説明する。図３は、印影画像を取得する具体例についての説明図である。図３に示すように、最初に押印受付部１１による撮像結果３１が得られたならば、撮像結果３１から生成された印影画像が印影画像１４ａとして記憶部に格納される。
【００５４】
その後、撮像結果３１から生成された印影画像１４ａよりも印影の画素数が大きい撮像結果３２が得られたならば、撮像結果３２から生成された印影画像によって印影画像１４ａが更新される。
【００５５】
撮像結果の印影の画素数が印影画像１４ａよりも減少した場合には、印影画像１４ａの更新は行われない。また、撮像結果３３に示すように印影の画素数が０となれば、印鑑２０が押印されていないものと判定され、印影画像１４ａが確定される。
【００５６】
さらにその後、操作者が、印影に欠けが発生しているなどの理由により印影に不満を感じて、印鑑２０の再押印を行い、再押印検知閾値よりも印影の画素数が大きい撮像結果３４が得られたならば、それまでの印影画像１４ａは消去され、撮像結果３４から生成された印影画像が新たな印影画像１４ａとして記憶部１４に格納される。
【００５７】
＜本実施例１に係る印影情報入力装置１０の処理手順＞
次に、図２に示した印影情報入力装置１０の処理手順について説明する。図４は、図２に示した印影情報入力装置１０の処理手順を示すフローチャートである。
【００５８】
まず、印影画像取得部１６ａは、操作者による所定の開始操作を受け付けて（ステップＳ１０１）、押印受付部１１に撮像開始指示を出力し、撮像結果である画像の取得を開始する（ステップＳ１０２）。
【００５９】
印影画像取得部１６ａは、撮像結果における印影の画素数を押印検知閾値と比較して押印を検知したか否かを判定し（ステップＳ１０３）、押印を検知していなければ（ステップＳ１０３；Ｎｏ）、ステップＳ１０３を繰り返す。
【００６０】
押印を検知したならば（ステップＳ１０３；Ｙｅｓ）、印影画像取得部１６ａは、記憶部１４に記憶済みの印影画像１４ａが存在するか否かを判定する（ステップＳ１０４）。記憶部１４に記憶済みの印影画像１４ａが存在しなければ（ステップＳ１０４；Ｎｏ）、印影画像取得部１６ａは、撮像結果から印影画像１４ａを生成して記憶部１４に記憶させる（ステップＳ１０７）。
【００６１】
記憶部１４に記憶済みの印影画像１４ａが存在するならば（ステップＳ１０４；Ｙｅｓ）、印影画像取得部１６ａは、撮像結果から印影の画素数を求め、印影画像１４ａの印影の画素数と比較する（ステップＳ１０５）。
【００６２】
比較の結果、撮像結果の印影の画素数が印影画像１４ａよりも増加していれば（ステップＳ１０５；Ｙｅｓ）、撮像結果の印影を印影画像１４ａと差替えて新たな印影画像１４ａとすることで、印影画像の更新を行う（ステップＳ１０６）。
【００６３】
ステップＳ１０６の後、もしくは撮像結果の印影の画素数が印影画像１４ａ以下である場合（ステップＳ１０５；Ｎｏ）、もしくはステップＳ１０７の後、印影画像表示制御部１６ｂは、撮像結果から取得した印影画像を表示する（ステップＳ１０８）。このため、印影画像の新規記憶や更新が行われた場合には印影がリアルタイムに表示され、印影画像の新規記憶や更新が行われなければ表示中の印影が維持される。
【００６４】
ステップＳ１０８の後、印影画像取得部１６ａは、撮像結果における印影の画素数を押印終了閾値と比較して押印が終了したか否かを判定し（ステップＳ１０９）、押印が終了していなければ（ステップＳ１０９；Ｎｏ）、ステップＳ１０５に移行する。
【００６５】
押印が終了したならば（ステップＳ１０９；Ｙｅｓ）、印影画像取得部１６ａは、印影画像１４ａを確定し（ステップＳ１１０）、印影画像表示制御部１６ｂは、確定した印影画像１４ａを表示する（ステップＳ１１１）。
【００６６】
ステップＳ１１１の後、印影画像出力部１６ｃは、確認ボタン１３ａの操作を受け付けたか否かを判定する（ステップＳ１１２）。確認ボタン１３ａの操作を受け付けていなければ（ステップＳ１１２；Ｎｏ）、印影画像取得部１６ａは、撮像結果における印影の画素数を再押印検知閾値と比較して再押印を検知したか否かを判定し（ステップＳ１１３）、再押印を検知していなければ（ステップＳ１１３；Ｎｏ）、ステップＳ１１２に移行する。
【００６７】
再押印を検知したならば（ステップＳ１１３；Ｙｅｓ）、印影画像取得部１６ａは、記憶部１４の印影画像１４ａを消去し（ステップＳ１１４）、ステップＳ１０４に移行する。
【００６８】
一方、確認ボタン１３ａの操作を受け付けた場合（ステップＳ１１２；Ｙｅｓ）、印影画像出力部１６ｃは、記憶部１４に格納された印影画像１４ａを通信部１８により上位装置に出力させ（ステップＳ１１５）、押印受付部１１に対して撮像終了指示を出力して画像の取得を終了し（ステップＳ１１６）、処理を終了する。また、処理の終了時に、記憶された印影画像１４ａを消去してもよい。
【００６９】
上述してきたように、本実施例１では、操作者により印鑑２０が押印操作され、押印受付部１１による撮像を行って印影画像を取得した後に、操作者が印影の欠け等に起因して再度印鑑２０の押印操作をしたならば、押印受付部１１により印面を撮像して印影画像を再取得し、印影画像を含む印影情報等を上位装置に送信するよう構成したので、従来の従業員操作が不要となり、また印影情報入力装置１０にキャンセルボタン等を設ける必要がなく、機材コストを削減することもできる。
【００７０】
なお、本実施例１では、再押印を検知した場合に印影画像１４ａを消去する構成を示したが、再押印検知時に再取得された印影画像が所定の条件を満たす場合には、印影画像１４ａの消去を行わないように制御するよう構成することにより、例えば、印影画像１４ａが取得された後に、操作者が誤って印鑑２０を押印受付部１１に押し当ててしまった場合に、印影画像１４ａの消去を防止することができる。この所定の条件とは、再取得された印影画像が印影画像１４ａに比べ小さい場合、再取得された印影画像の面積や画素数が印影画像１４ａの面積や画素数よりも小さい場合、印影画像１４ａの確定から再押印検知までの時間が短い（例えば、数百ｍｓｅｃ程度）場合などが該当する。再取得された印影画像が印影画像１４ａよりも極端に小さい場合（力が加わっていない場合）に、押印が止められたものと判定してもよい。
【００７１】
また、再押印を検知した場合に、確定した印影画像を残置し、新たな印影画像を生成する構成としてもよい。この場合には、最後に確定した印影画像を上位装置に送信してもよいし、確定した複数の印影画像の中から最適なもの（例えば、最大寸法を持つもの、照合スコアの高いもの等）を上位装置に送信するよう構成することもできる。
【実施例２】
【００７２】
＜本実施例２に係る印影情報入力装置１１０の概念＞
本実施例２では、予め登録された印影の画像（以下、「登録印影画像」と言う）等を利用して印影画像との照合スコアの算出を行う場合について説明する。図５は、本実施例２に係る印影情報入力装置１１０の概念の説明図である。
【００７３】
図５に示した印影情報入力装置１１０は、操作者が用いる印鑑２０の印影を登録印影画像として予め記憶することができる（Ｓ１１）。そして、印鑑２０の印面を押印受付部１１に押し当てる押印操作を実施例１と同様にして繰り返し行うと、押印受付部１１は印鑑２０の印面を複数回撮像し（Ｓ１２）、印影情報入力装置１１０はそれぞれの撮像で得られた複数の画像から複数の印影画像を生成する（Ｓ１３）。図５に示した例では、印影情報入力装置１１０が２つの印影画像Ｐ１及びＰ２を生成した状態を示している。
【００７４】
印影情報入力装置１１０は、複数の印影画像Ｐ１及びＰ２を登録印影画像とそれぞれ比較し、各印影画像について登録印影画像との照合スコアを算出する（Ｓ１４）。例えば、各印影画像及び登録印影画像の濃度分布（横軸を濃度値とし、縦軸を頻度とする濃度ヒストグラム）を求めておき、各印影画像の濃度ヒストグラムと登録印影画像の濃度ヒストグラムの相互相関係数を照合スコアとする。図５に示した例では、印影画像Ｐ１の登録印影画像に対する照合スコアが「６０」であり、印影画像Ｐ２の登録印影画像に対する照合スコアが「９０」である状況を示している。
【００７５】
印影情報入力装置１１０は、各印影画像の照合スコアを比較し、原則としては照合スコアが最も高い印影画像をタッチパネルディスプレイ１２に表示する（Ｓ１５）。従って、図５の例では、印影画像Ｐ２がタッチパネルディスプレイ１２に表示されている。
【００７６】
ただし、照合スコアが一定値以上であっても、印影画像に欠けや掠れが存在する場合には、欠けや掠れがある箇所を強調表示する。また、照合スコアが一定値未満であり、かつ、印影の外形・寸法が登録印影と同一である場合には、印鑑２０が登録印鑑と異なる旨を表示する。さらに、照合スコアが一定値未満であり、かつ、印影の外形・寸法が登録印影と同一でない場合には、登録印影の外形の内側を消去して表示する。登録印影そのものを表示することができない反面で、登録印影と何が異なるのかを操作者に分からせるためである。
【００７７】
このように、本実施例２に係る印影情報入力装置１１０は、予め登録印影画像を記憶し、印鑑２０の印面を複数回撮像して複数の印影画像を生成し、各印影画像と登録印影画像との照合スコア（類似度）を求めて最も照合スコアの高い印影画像を表示する。この際、照合スコアが一定値未満である場合には、印影の外形・寸法を用いて登録印影との違いを分かりやすく表示する。なお、図５では、印影画像について説明を行ったが、署名画像についても同様に行うことができる。
【００７８】
＜システム構成＞
次に、印影情報入力装置１１０に登録印影画像等を記憶させるためのシステム構成について説明する。図６は、本実施例２に係るシステム構成を示すシステム構成図である。同図に示すように、銀行等の支店１３１には、複数の窓口端末装置１２０が設置され、各窓口端末装置１２０は印影情報入力装置１１０と接続されている。また、複数の窓口端末装置１２０は、所定のネットワーク１４０を介して顧客管理サーバ１５０と接続されている。ここでは図示省略したが、支店１３２など、他の支店にも支店１３１と同様に窓口端末装置１２０及び印影情報入力装置１１０が設置され、各窓口端末装置１２０は、所定のネットワーク１４０を介して顧客管理サーバ１５０と接続されている。
【００７９】
顧客管理サーバ１５０は、顧客の情報に顧客ＩＤを付して管理する顧客データベース１５１を有する。顧客情報には、顧客の氏名、口座番号、住所などに加え、登録印影画像及び登録された署名の画像（以下、「登録署名画像」と言う）などが含まれる。
【００８０】
例えば、支店１３１に顧客が来店し、印影や署名の入力を行う場合には、行員が窓口端末装置１２０を操作して顧客管理サーバ１５０に問い合せを行う。この問い合せは、顧客の氏名や口座番号等、顧客を一意に特定可能な情報を顧客管理サーバ１５０に送信することで行う。
【００８１】
問い合せを受けた顧客管理サーバ１５０は、問い合せに示された顧客の氏名や口座番号等から顧客を一意に特定し、対応する登録印影画像及び登録署名画像を窓口端末装置１２０に送信する。窓口端末装置１２０は、顧客管理サーバ１５０から受信した登録印影画像及び登録署名画像を印影情報入力装置１１０に送信する。このようにして印影情報入力装置１１０は、顧客に対応する登録印影画像及び登録署名画像を受信して記憶することができる。以降は、顧客自身が操作者として印影情報入力装置１１０に対して押印操作や署名の入力操作を行うことになる。
【００８２】
＜本実施例２に係る印影情報入力装置１１０の構成＞
次に、印影情報入力装置１１０の構成について説明する。なお、ここでは説明の便宜上、印影処理を中心に説明することとするが、署名処理についても同様に行うことができる。
【００８３】
図７は、図５に示した印影情報入力装置１１０の構成を示す構成図である。同図に示すように、この印影情報入力装置１１０は、押印受付部１１、タッチパネルディスプレイ１２、確認ボタン１３ａ、通信部１８、記憶部１４及び制御部１５を有する。ここでは、実施例１と同様の部分については同一符号を付すこととして重複する説明を省略する。
【００８４】
通信部１８は、印影画像及び署名画像の出力に加え、窓口端末装置１２０からの登録印影画像及び登録署名画像の受信に用いられる。
【００８５】
記憶部１４は、登録印影画像１１４ａ、印影画像１４ａ及び印影画像１４ｂを記憶する。なお、ここでは図示省略したが、署名画像などについても記憶部１４に記憶される。ここで、登録印影画像１１４ａには解析情報１１４ｂが対応付けられ、印影画像１４ａには、照合スコア１１４ｃ及び解析情報１１４ｄが対応付けられ、印影画像１４ｂには、照合スコア１１４ｅ及び解析情報１１４ｆが対応付けられる。解析情報１１４ｆとは、印影画像１４ｂの特徴を示す情報であり、印影を構成する画素の画素値の分布を示す濃度ヒストグラム、印面の形状（丸形、楕円形、四角等）、印影の縦横の寸法、印影に外接する矩形の面積、印影の取得時刻等が含まれる。実際には、例えば印影画像１４ａは、印影画像に識別情報を付与して管理されており、照合スコア１１４ｃ及び解析情報１１４ｄは、印影画像１４ａの識別情報と対応付けたテーブルとして記憶部１４に記憶される。
【００８６】
制御部１５は、顧客データ受信処理部１１８、印影処理部１１６及び署名処理部１１７を有する。顧客データ受信処理部１１８は、窓口端末装置１２０から登録印影画像１１４ａを受信して記憶部１４に格納する処理部である。なお、ここではその詳細な説明を省略するが、登録署名画像についても同様に取得される。
【００８７】
印影処理部１１６は、印影画像取得部１１６ａ、照合スコア算出部１１６ｂ、印影画像表示制御部１１６ｃ及び印影画像出力部１１６ｄを有する。
【００８８】
印影画像取得部１１６ａは、実施例１の印影画像取得部１６ａに対応する処理部であり、押印受付部１１による撮像結果から印影画像を取得して印影画像１４ａとして記憶部１４に格納する処理を行う。ここで、再押印を検知した場合には、印影画像取得部１１６ａは、確定した印影画像１４ａを消去することなく、新たな印影画像１４ｂとして記憶部１４に格納する。また、再押印検知閾値としては、固定値を用いることが望ましい。操作者が誤った印鑑２０を用いたことに気付き、印鑑２０を変更して再押印を行う場合があるからである。なお、実施例１の印影画像取得部１６ａにて詳細な説明をしたため、ここではその詳細な説明を省略する。
【００８９】
照合スコア算出部１１６ｂは、印影画像取得部１１６ａにより印影画像１４ａが生成された場合に、登録印影画像１１４ａとの照合スコアを算出し、照合スコア１１４ｃとして印影画像１４ａに対応付ける処理を行うとともに、印影画像１４ａから解析情報を抽出し、解析情報１１４ｄとして印影画像１４ａに対応付ける処理を行う。
【００９０】
同様に、印影画像取得部１１６ａにより印影画像１４ｂが生成された場合に、登録印影画像１１４ａとの照合スコアを算出し、照合スコア１１４ｅとして印影画像１４ｂに対応付ける処理を行うとともに、印影画像１４ｂから解析情報を抽出し、解析情報１１４ｆとして印影画像１４ｂに対応付ける処理を行う。
【００９１】
かかる解析情報１１４ｆ等には、濃度ヒストグラムと外形解析結果とが含まれる。図８（ａ）〜（ｃ）に示すように、この濃度ヒストグラムは、横軸を濃度値とし、縦軸を頻度とする濃度分布特性であり、外形解析結果には、印面の型（丸形、楕円形、四角等）、印影の縦サイズ、印影の横サイズ等が含まれる。
【００９２】
図８（ａ）に示す登録印影画像１１４ａの解析情報１１４ｂには、該登録印影画像１１４ａの濃度ヒストグラムと、「丸形、縦：１３．５、横１３．５」の外観解析が含まれた状況を例示している。また、図８（ｂ）に示す印影画像１４ａの解析情報１１４ｄには、該印影画像１４ａの濃度ヒストグラムと、「丸形、縦：１２．０、横１２．０」の外観解析が含まれた状況を例示している。また、図８（ｃ）に示す印影画像１４ｂの解析情報１１４ｆには、該印影画像１４ｂの濃度ヒストグラムと、「丸形、縦：１３．０、横１３．５」の外観解析が含まれた状況を例示している。
【００９３】
ここで、照合スコア算出部１１６ｂが、印影画像１４ａの照合スコアを算出する際には、登録印影画像１１４ａの濃度ヒストグラムと印影画像１４ａの濃度ヒストグラムとの類似度（例えば、相互相関係数）を算定してこれを照合スコアとする。この照合スコアは、０〜１００％の数値となり、照合スコアが高いものほど登録印影画像１１４ａと類似していることを意味する。図８（ｂ）に示す印影画像１４ａの照合スコアは「０．２」であり、図８（ｃ）に示す印影画像１４ｂの照合スコアは「３０」である状況を示している。
【００９４】
印影画像表示制御部１１６ｃは、実施例１の印影画像表示制御部１６ｂに対応するものであり、撮像結果から得られた印影画像のリアルタイム表示や、確定した印影画像（記憶部１４に格納された印影画像１４ａ又は印影画像１４ｂ）の表示を行う。
【００９５】
ここで、印影画像表示制御部１１６ｃは、確定した印影画像の表示を行う場合には、照合結果に基づいて表示態様の制御を行う。例えば、印影画像の照合スコアが一定値以上であっても、印影画像に欠けや掠れが存在する場合には、図８（ｄ）に示すように、欠けや掠れがある箇所を強調表示する。また、照合スコアが一定値未満であり、かつ、印影の外形・寸法が登録印影と同一である場合には、印鑑２０が登録印鑑と異なる旨を表示する。さらに、照合スコアが一定値未満であり、かつ、印影の外形・寸法が登録印影と同一でない場合には、図８（ｅ）に示すように、登録印影の外形の内側を消去して、外形部分のみを表示する。登録印影そのものを表示することができない反面で、登録印影と何が異なるのかを操作者に分からせるためである。かかる表示を行うことにより、操作者は、再押印を効率的に行うことができる。
【００９６】
また、印影画像表示制御部１１６ｃは、確認ボタン１３ａの操作が行われた場合に、上位装置に送信する印影画像をタッチパネルディスプレイ１２に表示する処理を行う。原則としては照合スコアが最も高い印影画像をタッチパネルディスプレイ１２に表示することになるが、確定された複数の印影画像を表示して操作者による選択を行わせてもよい。
【００９７】
印影画像出力部１１６ｄは、確認ボタン１３ａの操作を受け付けた場合に、記憶部１４に格納された１又は複数の印影画像から上位装置に送信する印影画像を選択し、通信部１８により上位装置に出力させる処理を行う。具体的には、照合スコアが最も高い印影画像を上位装置に送信する印影画像を選択すればよい。この場合には、選択された１の印影画像が印影画像表示制御部１１６ｃにより表示される。また、確定された複数の印影画像を印影画像表示制御部１１６ｃに表示制御させ、操作者の選択操作を受け付けることで上位装置に送信する印影画像を選択してもよい。
【００９８】
署名処理部１１７は、実施例１の署名処理部１７に対応する処理部であり、署名画像に対して印影処理部１１６と同様の処理を行う。ここでは、この署名処理についての詳細な説明を省略する。
【００９９】
＜本実施例２に係る印影情報入力装置１１０の処理手順＞
次に、印影情報入力装置１１０の処理手順について説明する。図９は、図７に示した印影情報入力装置１１０の処理手順を示すフローチャートである。ここでは、顧客データ受信処理部１１８が、窓口端末装置１２０から登録印影画像を受信し、登録印影画像１１４ａとして記憶部１４に格納されているものとする。
【０１００】
まず、印影画像取得部１１６ａは、操作者による所定の開始操作を受け付けて（ステップＳ２０１）、押印受付部１１に撮像開始指示を出力し、撮像結果である画像の取得を開始する（ステップＳ２０２）。
【０１０１】
印影画像取得部１１６ａは、撮像結果における印影の画素数を押印検知閾値と比較して押印を検知したか否かを判定し（ステップＳ２０３）、押印を検知していなければ（ステップＳ２０３；Ｎｏ）、ステップＳ２０３を繰り返す。
【０１０２】
押印を検知したならば（ステップＳ２０３；Ｙｅｓ）、印影画像取得部１１６ａは、記憶部１４が未確定の印影画像を記憶済みであるか否かを判定する（ステップＳ２０４）。ここで、未確定の印影画像とは、後述するステップＳ２０７で記憶部１４に格納された後、ステップＳ２１０による確定が行われていない状態の印影画像である。記憶部１４が未確定の印影画像を記憶していなければ（ステップＳ２０４；Ｎｏ）、印影画像取得部１１６ａは、撮像結果から印影画像を生成して記憶部１４に記憶させる（ステップＳ２０７）。
【０１０３】
記憶部１４が未確定の印影画像を記憶済みであれば（ステップＳ２０４；Ｙｅｓ）、印影画像取得部１６ａは、撮像結果から印影の画素数を求め、記憶部１４が記憶する未確定の印影画像の画素数と比較する（ステップＳ２０５）。
【０１０４】
比較の結果、撮像結果の印影の画素数が、記憶部１４が記憶する未確定の印影よりも増加していれば（ステップＳ２０５；Ｙｅｓ）、撮像結果の印影を記憶部１４が記憶する未確定の印影と差替えることで未確定の印影画像の更新を行う（ステップＳ２０６）。
【０１０５】
ステップＳ２０６の後、もしくは撮像結果の印影の画素数が、記憶部１４が記憶する未確定の印影以下である場合（ステップＳ２０５；Ｎｏ）、もしくはステップＳ２０７の後、印影画像表示制御部１１６ｃは、撮像結果から取得した印影画像を表示する（ステップＳ２０８）ことで、印影のリアルタイム表示を行う。
【０１０６】
ステップＳ２０８の後、印影画像取得部１１６ａは、撮像結果における印影の画素数を押印終了閾値と比較して押印が終了したか否かを判定し（ステップＳ２０９）、押印が終了していなければ（ステップＳ２０９；Ｎｏ）、ステップＳ２０５に移行する。
【０１０７】
押印が終了したならば（ステップＳ２０９；Ｙｅｓ）、印影画像取得部１１６ａは、印影画像を確定し、印影照合処理を行う（ステップＳ２１０）、
【０１０８】
この印影照合処理においては、確定した印影画像と登録印影画像１１４ａの濃度ヒストグラムの類似度（例えば、相互相関係数）を求め、この類似度を相関スコアとして、確定した印影画像に対応付けて記憶する。また、確定した印影画像の解析結果を求め、求めた解析結果を記憶部１４に記憶された確定した印影画像に対応付けて記憶する。
【０１０９】
そして、確定した印影画像及び照合処理結果（相関スコア及び解析結果）をタッチパネルディスプレイ１２に表示する照合結果表示処理を行う（ステップＳ２１１）。
【０１１０】
ステップＳ２１１の後、印影画像出力部１１６ｄは、確認ボタン１３ａの操作を受け付けたか否かを判定する（ステップＳ２１２）。確認ボタン１３ａの操作を受け付けていなければ（ステップＳ２１２；Ｎｏ）、印影画像取得部１６ａは、撮像結果における印影の画素数を再押印検知閾値と比較して再押印を検知したか否かを判定し（ステップＳ２１３）、再押印を検知していなければ（ステップＳ２１３；Ｎｏ）、ステップＳ２１２に移行する。
【０１１１】
再押印を検知したならば（ステップＳ２１３；Ｙｅｓ）、印影画像取得部１１６ａは、ステップＳ２０４に移行する。
【０１１２】
一方、確認ボタン１３ａの操作を受け付けた場合（ステップＳ２１２；Ｙｅｓ）、印影画像出力部１１６ｄは、記憶部１４に格納された印影画像から上位装置に送信する印影画像を選択し、印影画像表示制御部１１６ｃによる表示制御を行う（ステップＳ２１４）。その後、印影画像出力部１１６ｄは、選択した印影画像を通信部１８により上位装置に出力させ（ステップＳ２１５）、押印受付部１１に対して撮像終了指示を出力して画像の取得を終了し（ステップＳ２１６）、処理を終了する。また、処理の終了時に、記憶部１４が記憶する印影画像及び対応付けられたデータ（照合スコア、解析情報など）を消去してもよい。
【０１１３】
次に、図９のステップＳ２１１に示した表示処理についてさらに詳細に説明する。図１０は、図９のステップＳ２１１に示した表示処理手順を示すフローチャートである。
【０１１４】
図１０に示すように、まず、確定した印影画像が、登録印影画像１１４ａと一致するか否かを判定する（ステップＳ３０１）。具体的には、この印影画像の照合スコアが所定の基準値（例えば、９５％）以上である場合には、登録印影画像１１４ａと一致すると判定する。
【０１１５】
そして、登録印影画像１１４ａと一致すると判定された場合には（ステップＳ３０１；Ｙｅｓ）、「登録印鑑と一致する」旨をタッチパネルディスプレイ１２に表示して（ステップＳ３０２）、処理を終了する。
【０１１６】
これに対して、登録印影画像１１４ａと一致しない場合には（ステップＳ３０１；Ｎｏ）、印影画像の照合スコアが一定値（例えば、７０％）以上であるか否かを判定する（ステップＳ３０３）。その結果、印影画像の照合スコアが一定値以上である場合には（ステップＳ３０３；Ｙｅｓ）、欠け・掠れの判定処理を行う（ステップＳ３０４）。所定の基準値を超えなかった理由が、欠け・掠れに起因する可能性が考えられるためである。
【０１１７】
そして、欠け・掠れが存在すると判定された場合には（ステップＳ３０５；Ｙｅｓ）、図８（ｄ）に示したように印影画像をタッチパネルディスプレイ１２に表示するとともに、欠け・掠れ部分の強調表示を行ない（ステップＳ３０６）、処理を終了する。一方、欠け・掠れが存在しないと判定された場合には（ステップＳ３０５；Ｎｏ）、「印鑑相違」を表示して（ステップＳ３１０）、処理を終了する。
【０１１８】
また、上記ステップＳ３０３において、印影画像の照合スコアが一定値以上ではない場合には（ステップＳ３０３；Ｎｏ）、外形・寸法確認処理を行う（ステップＳ３０７）。具体的には、登録印影画像１１４ａの解析情報１１４ｂに含まれる外形解析の印影の外形及び寸法と、印影画像の解析情報に含まれる外形解析の印影の外形及び寸法とを比較して、差違を求める。
【０１１９】
その結果、登録印影画像１１４ａと外形又は寸法が同一である場合には（ステップＳ３０８；Ｎｏ）、「印鑑相違」を表示して（ステップＳ３１０）、処理を終了する。一方、登録印影画像１１４ａと外形又は寸法が異なる場合には（ステップＳ３０８；Ｙｅｓ）、外形・寸法表示処理を行う（ステップＳ３０９）。具体的には、図８（ｅ）に示すように、印影画像をタッチパネルディスプレイ１２に表示するとともに、登録印影画像１１４ａに含まれる印影の外形のみを重畳表示する処理を行う。
【０１２０】
上述してきたように、本実施例２に係る印影情報入力装置１１０は、予め登録印影画像１１４ａを記憶し、印影画像と登録印影画像とを照合処理して、最も照合スコア（類似度）が高く、かつ、照合スコアが所定の基準値以上である場合に、この印影画像を選択するよう構成したので、登録印影画像１１４ａと一致する印影画像を効率良く特定することができる。特に、印影画像の表示を行う場合に、欠け・掠れ処理、外形・寸法確認処理を行いつつ、印影画像の表示態様を変えるよう構成したので、操作者に適した表示を行うことが可能となる。
【０１２１】
また、照合スコア算出部１１６ｂが、記憶部１４に記憶された複数の印影画像と、あらかじめ登録された登録印影画像１１４ａとの照合スコア（類似度）を算定し、印影画像表示制御部１１６ｃは、照合スコア算出部１１６ｂにより算定された照合スコア及び解析情報をタッチパネルディスプレイ１２に表示制御することとしたので、登録印鑑との照合結果が表示されることにより、押印した印影画像が、伝票に使用すべき印影画像であるか否かを自動的に判定することができる。さらに、印影画像が登録印鑑と異なることを判別することができる。
【０１２２】
また、印影画像１４ａが伝票の利用に適さない場合であっても、再度押印が行われば、印影画像１４ｂを取得することができる。押印が伝票の利用に適さない場合に、印鑑照合結果の表示により、利用者に通知することができる。
【０１２３】
また、記憶部１４に記憶された印影画像１４ａ及び印影画像１４ｂのうちの少なくとも１つをタッチパネルディスプレイ１２に表示制御することにより、取得された印影画像を操作者が目視確認することが可能となり、操作者は欠け・かすれの有無などを判別することができ、印影画像の取り直しを行う必要があるか否かを把握することができる。
【０１２４】
また、記憶部１４に記憶された複数の印影画像のうち、照合スコア（類似度）が最も高い印影画像をタッチパネルディスプレイ１２に表示制御することとしたので、操作者は、最も伝票に使用すべき印影画像を把握することができる。
【０１２５】
また、記憶部１４に記憶された印影画像のうち、最も欠け又はかすれの少ない印影画像をタッチパネルディスプレイ１２に表示制御することとしたので、登録印影画像がない場合であっても、操作者は、最も伝票に使用すべき印影画像を把握することができる。
【０１２６】
また、記憶部１４に記憶された複数の印影画像の中から操作者による印影画像の選択操作を受け付け、選択操作を受け付けた印影画像を外部装置に送信するよう構成することもできる。この外部装置は、例えば電子記帳台を言う。
【０１２７】
また、本実施例２では、一度のみ印影画像１４ｂの再取得を行う場合を示したが、繰り返し再取得操作が行われた場合には、３つ以上の印影画像を記憶部１４に記憶することもできる。
【０１２８】
また、本実施例２では、印影情報入力装置１１０が顧客データ受信処理部１１８と照合スコア算出部１１６ｂとを有する構成を例示したが、これらの処理部を窓口端末装置１２０などの上位装置に設け、印影情報入力装置１１０と上位装置が協働して実施例２に示した動作を行うよう構成してもよい。
【０１２９】
また、本実施例１及び２では、押印検知、印影の更新、押印終了、再押印検知などの判定に画素数を用いる場合を例示したが、画像内の印影に外接する矩形の面積など、他の指標を用いてもよい。また、押印検知、押印終了、再押印検知には、圧力センサや光学センサなどを用いてもよい。
【０１３０】
また、本実施例１及び２では、操作者から所定の開始操作を受け付けた場合に処理を開始する場合を例に説明を行ったが、押印を検知した場合に処理を開始するよう構成してもよい。
【０１３１】
また、本実施例１及び２では、確認ボタン１３ａの操作を受け付けた場合に上位装置への送信を行う構成を例示したが、印影画像の確定から再押印を検知することなく所定時間が経過した場合に上位装置への送信を行う構成としてもよい。同様に、確認ボタン１３ａの操作受付と所定時間の経過のいずれかが発生した場合に上位装置への送信を行うよう構成することも可能である。
【０１３２】
また、本実施例１及び２では、印影画像を印影情報として上位装置に送信する構成を例示したが、印影画像に取得日時などの情報を付加して印影情報として上位装置に送信することも可能である。さらに、印影画像そのものを上位装置に送信するのではなく、印影画像から抽出した特徴量などを印影情報として上位装置に送信する構成であってもよい。
【０１３３】
また、本実施例１及び２では、ハードディスク装置や不揮発性メモリ、ＲＡＭ等からなる記憶部１４に印影画像１４ａ及び印影画像１４ｂを記憶する場合を示したが、本発明はこれに限定されるものではなく、揮発性メモリからなる主メモリ上に印影画像１４ａや印影画像１４ｂを記憶するよう構成することもできる。
【０１３４】
なお、上記の実施例１及び２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。例えば、確認ボタンは、タッチパネルディスプレイ１２の画面に形成していてもよい。
【産業上の利用可能性】
【０１３５】
本発明の印影情報取得装置、印影情報取得システム、印影情報取得方法及び印影情報取得プログラムは、印鑑の印影の取り直しを効率良く行う場合に有用である。
【符号の説明】
【０１３６】
１０、１１０  印影情報入力装置
１１  押印受付部
１２  タッチパネルディスプレイ
１３ａ  確認ボタン
１４  記憶部
１４ａ，１４ｂ  印影画像
１５  制御部
１６、１１６  印影処理部
１６ａ、１１６ａ  印影画像取得部
１６ｂ、１１６ｃ  印影画像表示制御部
１６ｃ、１１６ｄ  印影画像出力部
１７、１１７  署名処理部
１８  通信部
２０  印鑑
１１４ａ  登録印影画像
１１４ｂ、１１４ｄ、１１４ｆ  解析情報
１１４ｃ、１１４ｅ  照合スコア
１１６ｂ  照合スコア算出部
１１８  顧客データ受信処理部
１２０  窓口端末装置
１３１、１３２  支店
１４０  ネットワーク
１５０  顧客管理サーバ
１５１  顧客データベース
【図１】
2019091229.tif 000003
【図２】
2019091229.tif 000004
【図３】
2019091229.tif 000005
【図４】
2019091229.tif 000006
【図５】
2019091229.tif 000007
【図６】
2019091229.tif 000008
【図７】
2019091229.tif 000009
【図８】
2019091229.tif 000010
【図９】
2019091229.tif 000011
【図１０】
2019091229.tif 000012